(57)【要約】【課題】搬送中のコンデンサ用タブ端子同士の絡み合いを効果的に防止し、かつ、従来よりも多数本のコンデンサ用タブ端子を収納して物流コストを削減できるコンデンサ用タブ端子の収納容器を提供する。【解決手段】コンデンサ用タブ端子を収納する第１収納部１０４の内底面が傾斜面に形成された外パック１００と、第１収納部内に所定数のコンデンサ用タブ端子を収納して形成した第１積層体の上面に倣う形状の外底面の第２収納部２０４が設けられ第１収納部内に第２収納部が挿入されたとき第１積層体の上面に第２収納部の外底面が当接する内パック２００と、第２収納部内に所定本数のコンデンサ用タブ端子を収納して形成した第２積層体の上面に倣う形状の外底面の突出部３０４が設けられ第２収納部内に突出部が挿入されたとき第２積層体の上面に突出部の外底面が当接する蓋パック３００とを備えるコンデンサ用タブ端子の収納容器。【選択図】図１
0003201896.tif 000002
【実用新案登録請求の範囲】
【請求項１】
リード線の一端部と前記リード線の直径よりも幅広の平板状の扁平部とが前記リード線よりも太い丸棒部で連結された多数本のコンデンサ用タブ端子を収納するコンデンサ用タブ端子の収納容器であって、
前記収納容器は、前記コンデンサ用タブ端子を収納する第１収納部の内底面が傾斜面に形成された外パックと、
前記第１収納部内に前記傾斜面の低部側に前記扁平部側が位置するように所定本数の前記コンデンサ用タブ端子を収納して形成した第１積層体の上面に倣う形状の外底面の第２収納部が設けられ、前記第１収納部内に前記第２収納部が挿入されて、前記第１収納部内が気密状態となったとき、前記第１積層体の上面に前記第２収納部の前記外底面が当接する内パックと、
前記第２収納部内に、前記扁平部側が所定方向を向いた所定本数の前記コンデンサ用タブ端子を収納して形成した第２積層体の上面に倣う形状の外底面の突出部が設けられ、前記第２収納部内に前記突出部が挿入されて、前記第２収納部内が気密状態となったとき、前記第２積層体の上面に前記突出部の前記外底面が当接する蓋パックとを備えることを特徴とするコンデンサ用タブ端子の収納容器。
【請求項２】
前記第１積層体が、その上面に位置する前記コンデンサ用タブ端子の一端部と扁平部とが同一高さとなる平坦面となるように構成され、前記第２収納部の前記外底面が平坦面であることを特徴とする請求項１に記載のコンデンサ用タブ端子の収納容器。
【請求項３】
前記第２積層体は、その上面が傾斜面となるように構成され、前記突出部の前記外底面が傾斜面に形成されていることを特徴とする請求項１又は請求項２に記載のコンデンサ用タブ端子の収納容器。
【請求項４】
前記外パックに複数の前記第１収納部が形成され、前記第１収納部の各々に対応して前記内パックの前記第２収納部及び前記蓋パックの前記突出部が形成されていることを特徴とする請求項１〜３のいずれか一項に記載のコンデンサ用タブ端子の収納容器。
【請求項５】
前記蓋パックの前記突出部が中空体であることを特徴とする請求項１〜４のいずれか一項に記載のコンデンサ用タブ端子の収納容器。
【請求項６】
前記蓋パックの前記突出部が第３収納部を構成し、
前記第３収納部内に、前記扁平部側が所定方向に向いて所定本数の前記コンデンサ用タブ端子を収納して形成した第３積層体の上面の形状に倣う形状の外底面の凹部が設けられ、前記第３収納部内に前記凹部が挿入されて、前記第３収納部内が気密状態となったとき、前記第３積層体の上面に前記凹部の前記外底面が当接する蓋体を更に備えることを特徴とする請求項１〜４のいずれか一項に記載のコンデンサ用タブ端子の収納容器。
【請求項７】
前記第３積層体は、その上面が位置する前記コンデンサ用タブ端子の一端部と扁平部とが同一高さとなる平坦面となるように構成され、前記蓋体の前記凹部の外底面が平坦面であることを特徴とする請求項６に記載のコンデンサ用タブ端子の収納容器。
【請求項８】
前記外パックに複数の前記第１収納部が形成され、前記第１収納部の各々に対応して前記内パックの前記第２収納部、前記蓋パックの前記第３収納部及び前記蓋体の前記凹部が形成されていることを特徴とする請求項６又は請求項７に記載のコンデンサ用タブ端子の収納容器。
【請求項９】
前記収納容器が射出成型で形成されていることを特徴とする請求項１〜８のいずれか一項に記載のコンデンサ用タブ端子の収納容器。
【考案の詳細な説明】
【技術分野】
【０００１】
本考案は、コンデンサ用タブ端子の収納容器に関するものである。
【背景技術】
【０００２】
図８は、コンデンサ用タブ端子１０を説明するために示す図である。図８（ａ）はコンデンサ用タブ端子１０の正面図であり、図８（ｂ）はコンデンサ用タブ端子１０の側面図である。
コンデンサ用タブ端子１０は、図８に示すように、リード線１２の一端部とリード線１２の直径よりも幅広の平板状の扁平部１６とがリード線１２よりも太い丸棒部１４で連結されている。このようなコンデンサ用タブ端子１０には、加工中に付着した微細な粉末や油等を除去すべく洗浄処理が施されることから、下記特許文献１、２に、コンデンサ用タブ端子の洗浄処理と搬送とに供され得る収納容器として、傾斜面に形成された内底面に、コンデンサ用タブ端子よりも短いスリットが形成された収納部と、この収納部の開口部を覆うように被着される蓋体とから成るものが記載されている。このような収納容器によれば、同一工場内でのコンデンサ用タブ端子の洗浄と搬送とに供することができる。
【先行技術文献】
【特許文献】
【０００３】
【特許文献１】特開２００２−１８４６５７号公報
【特許文献２】特開２００３−６８５９１号公報
【考案の概要】
【考案が解決しようとする課題】
【０００４】
しかしながら、特許文献１，２に記載されている収納容器は、収納されたコンデンサ用タブ端子を気密状態に保持できず、工場から出荷するコンデンサ用タブ端子の搬送用に用いるには問題があることから、本考案者は収納したコンデンサ用タブ端子を気密状態に保持できる収納容器を搬送用に用いることを試みた。
【０００５】
図９は、従来のコンデンサ用タブ端子の収納容器９２０を説明するために示す図である。図９（ａ）は従来のコンデンサ用タブ端子の収納容器９２０にコンデンサ用タブ端子１０を収納した後、蓋９０２を被着する前の状態を示す図であり、図９（ｂ）は従来のコンデンサ用タブ端子の収納容器９２０にコンデンサ用タブ端子１０を収納した後、蓋９０２を被着した状態を示す図である。従来のコンデンサ用タブ端子の収納容器９２０は、図９（ａ）に示すように、内底面が傾斜面に形成された収納部９００と、収納部９００の開口部を覆うように被着される蓋体９０２とから構成される。収納部９００には、スリット等が形成されておらず、図９（ｂ）に示すように収納部９００の開口部に蓋体９０２を被着することにより、収納部９００内を気密状態に保持できる。
【０００６】
ところで、複数本のコンデンサ用タブ端子１０を収納部９００に収納する際には、コンデンサ用タブ端子１０の収納部９００からの取り出しの自動化に伴い、コンデンサ用タブ端子１０の扁平部１６が同一方向を向いて収納されていることが要請されている。このため、図９に示すように、複数本のコンデンサ用タブ端子１０の各々を扁平部１６側が収納部９００の内底面を形成する傾斜面の低部側に位置するように載置して収納すると、扁平部１６側がリード線１２の端部側よりも厚い積層体が形成され、収納部９００に収納できるコンデンサ用タブ端子１０の本数に限界が存在する。
【０００７】
しかも、図９（ｂ）に示すように複数本のコンデンサ用タブ端子１０が積層されて気密状態で収納された収納容器を搬送に供すると、コンデンサ用タブ端子１０同士が絡み合って取り出し難くいことがある。このようにコンデンサ用タブ端子１０同士が絡み合った状態で、コンデンサ用タブ端子１０を無理に取り出すと、コンデンサ用タブ端子１０に曲がりが発生することがある。特に、コンデンサ用タブ端子１０を自動取り出しする場合には、このようなコンデンサ用タブ端子１０同士の絡み合いを防止することが要請されている。
【０００８】
そこで、本考案は、搬送中のコンデンサ用タブ端子同士の絡み合いを効果的に防止し、かつ、従来よりも多数本のコンデンサ用タブ端子を収納できるコンデンサ用タブ端子の収納容器を提供することを目的とする。
【課題を解決するための手段】
【０００９】
本考案者は、前記目的を達成するには、収納容器に所定本数のコンデンサ用タブ端子を収納し、扁平部側がリード線の一端部側よりも厚い積層体が形成されたとき、積層体を形成するコンデンサ用タブ端子が搬送中の振動等で移動しないように、蓋体に収納容器内の空間部を塞ぐ構造物を形成し、かつこの構造物内に所定本数のコンデンサ用タブ端子を収納できれば、従来よりも多数本のコンデンサ用タブ端子を収納できると考え検討した結果、本考案に到達した。
【００１０】
［１］本考案のコンデンサ用タブ端子の収納容器は、リード線の一端部と前記リード線の直径よりも幅広の平板状の扁平部とが前記リード線よりも太い丸棒部で連結された多数本のコンデンサ用タブ端子を収納するコンデンサ用タブ端子の収納容器であって、前記収納容器は、前記コンデンサ用タブ端子を収納する第１収納部の内底面が傾斜面に形成された外パックと、前記第１収納部内に前記傾斜面の低部側に前記扁平部側が位置するように所定本数の前記コンデンサ用タブ端子を収納して形成した第１積層体の上面に倣う形状の外底面の第２収納部が設けられ、前記第１収納部内に前記第２収納部が挿入されて、前記第１収納部内が気密状態となったとき、前記第１積層体の上面に前記第２収納部の前記外底面が当接する内パックと、前記第２収納部内に、前記扁平部側が所定方向を向いた所定本数の前記コンデンサ用タブ端子を収納して形成した第２積層体の上面に倣う形状の外底面の突出部が設けられ、前記第２収納部内に前記突出部が挿入されて、前記第２収納部内が気密状態となったとき、前記第２積層体の上面に前記突出部の前記外底面が当接する蓋パックとを備えることを特徴とするものである。
【００１１】
本考案のコンデンサ用タブ端子の収納容器によれば、外パックの第１収納部と内パックの第２収納部とに所定本数のコンデンサ用タブ端子を収納できることから、外パックの第１収納部のみに所定本数のコンデンサ用タブ端子を収納する場合に比較して、多数本のコンデンサ用タブ端子を気密状態で収納できる。
【００１２】
また、外パックの第１収納部内に収納したコンデンサ用タブ端子から成る第１積層体の上面は、第１収納部内に挿入された内パックの第２収納部の外底面と当接しており、第１積層体中のコンデンサ用タブ端子は第２収納部の外底面で拘束状態にある。このため、搬送等の際に、収納容器に振動等が加えられても、第１積層体中のコンデンサ用タブ端子は移動するこがなく相互の絡み合いを防止できる。
【００１３】
更に、内パックの第２収納部内に収納されたコンデンサ用タブ端子から成る第２積層体の上面は、第２収納部内に挿入された蓋パックの突出部の外底面と当接しており、第２積層体中のコンデンサ用タブ端子は突出部の外底面で拘束状態にあることから、搬送等の際に、収納容器に振動等が加えられても、第２積層体中のコンデンサ用タブ端子は移動するこがなく相互の絡み合いを防止できる。
【００１４】
その結果、本考案のコンデンサ用タブ端子の収納容器によれば、収納されたコンデンサ用タブ端子を拘束状態で搬送できることから、搬送中のコンデンサ用タブ端子同士の絡み合いを効果的に防止し、かつ、従来よりも多数本のコンデンサ用タブ端子を収納できる。
また、収納容器からのコンデンサ用タブ端子の取り出しを簡単に行うことができ、その自動化を図ることができるという効果もある。
【００１５】
なお、本明細書において、「傾斜面の低部側」とは、第１収納部を重力方向に沿って配置した場合の内底面の深さ位置が最も深くなる側をいう。
【００１６】
［２］本考案においては、前記第１積層体が、その上面に位置する前記コンデンサ用タブ端子の一端部と扁平部とが同一高さとなる平坦面となるように構成され、前記第２収納部の前記外底面が平坦面であることが好ましい。
【００１７】
このような構成とすることにより、第２収納部の形状を簡単化でき、かつ、第１積層体の上面と第２収納部の外底面とを全面に亘って当接状態として、第１積層体中のコンデンサ用タブ端子を確実に拘束できる。
【００１８】
なお、本明細書において、「平坦面」とは、コンデンサ用タブ端子の扁平部側の丸棒部がリード線よりも太いことに起因して、最上位に位置するコンデンサ用タブ端子の一端部と扁平部とが同一高さとなったコンデンサ用タブ端子の上面のことをいう。
【００１９】
［３］本考案においては、前記第２積層体は、その上面が傾斜面となるように構成され、前記突出部の前記外底面が傾斜面に形成されていることが好ましい。
【００２０】
このような構成とすることにより、第２積層体の上面と突出部の外底面とを全面に亘って当接状態として、第２積層体中のコンデンサ用タブ端子を確実に拘束できる。
【００２１】
［４］本考案においては、前記外パックに複数の前記第１収納部が形成され、前記第１収納部の各々に対応して前記内パックの前記第２収納部及び前記蓋パックの前記突出部が形成されていることが好ましい。
【００２２】
このような構成とすることにより、コンデンサ用タブ端子の相互の絡み合いを防止しつつ搬送できる。
【００２３】
［５］本考案においては、前記蓋パックの前記突出部が中空体であることが好ましい。
【００２４】
このような構成とすることにより、突出部の強度を維持しつつ軽量化することができ、搬送中の振動等による突出部の変形を防止し、第１積層体中のコンデンサ用タブ端子を更に一層確実に拘束できる。
【００２５】
［６］本考案においては、前記蓋パックの前記突出部が第３収納部を構成し、前記第３収納部内に、前記扁平部側が所定方向に向いて所定本数の前記コンデンサ用タブ端子を収納して形成した第３積層体の上面の形状に倣う形状の外底面の凹部が設けられ、前記第３収納部内に前記凹部が挿入されて、前記第３収納部内が気密状態となったとき、前記第３積層体の上面に前記凹部の前記外底面が当接する蓋体を更に備えることが好ましい。
【００２６】
このような構成とすることにより、更に多数本のコンデンサ用タブ端子を、相互の絡み合い防止しつつ搬送できる。
【００２７】
［７］本考案においては、前記第３積層体は、その上面が位置する前記コンデンサ用タブ端子の一端部と扁平部とが同一高さとなる平坦面となるように構成され、前記蓋体の前記凹部の外底面が平坦面であることが好ましい。
【００２８】
このような構成とすることにより、第３積層体の上面と凹部の外底面とを全面に亘って当接状態として、第３積層体中のコンデンサ用タブ端子を確実に拘束できる。
【００２９】
［８］本考案においては、前記外パックに複数の前記第１収納部が形成され、前記第１収納部の各々に対応して前記内パックの前記第２収納部、前記蓋パックの前記第３収納部及び前記蓋体の前記凹部が形成されていることが好ましい。
【００３０】
このような構成とすることにより、一の収納容器で更に多数本のコンデンサ用タブ端子を、相互の絡み合いを防止しつつ搬送できることができる。
【００３１】
［９］本考案においては、前記収納容器が射出成形で形成されていることが好ましい。
【００３２】
このような構成とすることにより、高強度の収納容器を簡単に製造できる。
【図面の簡単な説明】
【００３３】
【図１】実施態様１に係るコンデンサ用タブ端子の収納容器を構成する外パック１００、内パック及び蓋パック３００の各々の正面図及び側面図である。
【図２】外パック１００、内パック２００及び蓋パック３００の各々の縦断面図である。
【図３】外パック１００、内パック２００及び蓋パック３００を組み合わせてなる実施態様１に係るコンデンサ用タブ端子の収納容器２０の縦断面図である。
【図４】外パック１００内に所定本数のコンデンサ用タブ端子１０を収納した状態を説明する説明図である。
【図５】外パック１００に挿入した内パック２００内に所定本数のコンデンサ用タブ端子１０を収納した状態を説明する説明図である。
【図６】実施態様２に係るコンデンサ用タブ端子の収納容器２２の縦断面図である。
【図７】実施態様２に係るコンデンサ用タブ端子の収納容器２２内に所定本数のコンデンサ用タブ端子１０を収納した状態を説明する説明図である。
【図８】コンデンサ用タブ端子１０を説明するために示す図である。
【図９】従来のコンデンサ用タブ端子の収納容器９２０を説明するために示す図である。
【考案を実施するための形態】
【００３４】
以下、本考案のコンデンサ用タブ端子の収納容器を図に示す実施態様に基づいて詳細に説明する。
【００３５】
［実施態様１］
図１は、実施態様１に係るコンデンサ用タブ端子の収納容器を構成する外パック１００、内パック及び蓋パック３００の各々の正面図及び側面図である。図１（ａ）−１は外パック１００の正面図であり、図１（ｂ）−１は外パック１００の側面図である。図１（ａ）−２は内パック２００の正面図であり、図１（ｂ）−２は内パック２００の側面図である。図１（ａ）−３は蓋パック３００の正面図であり、図１（ｂ）−３は蓋パック３００の側面図である。外パック１００、内パック２００及び蓋パック３００は、ポリプロピレン（ＰＰ）・ポリスチレン（ＰＳ）・ポリエチレンテレフタレート（ＰＥＴ）などの透明・半透明の樹脂・プラスチックスで形成されており、射出成形で形成されている。
なお、外パック１００、内パック２００及び蓋パック３００は、真空・圧空成形で形成されていてもよい。
【００３６】
図１に示す外パック１００は、図１（ａ）−１に示すように、長方形状の鍔部１０２の長手方向に複数の第１収納部１０４が形成されている。第１収納部１０４は、図１（ｂ）−１に示すように、鍔部１０２から下方に突出されており、その外底面が傾斜面に形成されている。この第１収納部１０４の各々に対応して、図１に示す内パック２００の第２収納部２０４が形成されている。第２収納部２０４の各々は、図１（ａ）−２に示すように、長方形状の鍔部２０２の長手方向に形成されている。第２収納部２０４は、図１（ｂ）−２に示すように、鍔部２０２から下方に突出されており、その外底面が平坦面に形成されている。第２収納部２０４の外側面には、強度向上用の縦リブ２０６が形成されている。この第２収納部２０４の各々に対応して、図１に示す蓋パック３００の突出部３０４が突出している。突出部３０４の各々は、図１（ａ）−３に示すように、長方形状の鍔部３０２の長手方向に形成されている。突出部３０４は、図１（ｂ）−３に示すように、鍔部３０２から下方に突出されており、その外底面が傾斜面に形成されている。
【００３７】
図２は、外パック１００、内パック２００及び蓋パック３００の各々の縦断面図である。図２（ａ）は外パック１００の縦断面図であり、図２（ｂ）は内パック２００の縦断面図であり、図２（ｃ）は蓋パック３００の縦断面図である。
外パック１００の第１収納部１０４は、図２（ａ）に示すように、内面が平滑面に形成されており、その開口縁に沿って鍔部１０２が下向きのコ字状に曲折されて形成されている。更に、第１収納部１０４の内底面も、その外底面と同様に傾斜面に形成されている。
内パック２００の第２収納部２０４は、図２（ｂ）に示すように、内面は平滑面であって、その開口縁に沿って鍔部２０２が下向きのコ字状に曲折されて形成されている。鍔部２０２のコ字状部は、第２収納部２０４が第１収納部１０４内に挿入されたとき、第１収納部１０４の鍔部１０２に挿入される部分である。この第２収納部２０４の内底面は、外底面と同様に平坦面に形成されている。
また、蓋パック３００の突出部３０４は、図２（ｃ）に示すように、断面形状が三角形の中空体であって、その外底面は平滑な傾斜面に形成されている。この突出部３０４の上面周縁に沿って形成された鍔部３０２は、下向きのコ字状に曲折されて形成されている。鍔部３０２のコ字状部は、突出部３０４が第２収納部２０４内に挿入されたとき、第２収納部２０４の鍔部２０２に挿入される部分である。
【００３８】
このような図１〜図２に示す外パック１００、内パック２００及び蓋パック３００が組み合わせられて図３に示すコンデンサ用タブ端子の収納容器２０が形成される。図３は、外パック１００、内パック２００及び蓋パック３００を組み合わせてなる実施態様１に係るコンデンサ用タブ端子の収納容器２０の縦断面図である。つまり、外パック１００の第１収納部１０４に挿入した内パック２００の第２収納部２０４内に、蓋パック３００の突出部３０４を挿入することにより、図３に示すコンデンサ用タブ端子の収納容器２０とすることができる。このようにして組み立てられるコンデンサ用タブ端子の収納容器２０内に、図４及び図５に示すように、所定本数のコンデンサ用タブ端子１０が収納される。図４は、外パック１００内に所定本数のコンデンサ用タブ端子１０を収納した状態を説明する説明図である。図４（ａ）〜図４（ｃ）は外パック１００内にコンデンサ用タブ端子１０を収納する際の工程図である。図５は、外パック１００に挿入した内パック２００内に所定本数のコンデンサ用タブ端子１０を収納した状態を説明する説明図である。図５（ａ）〜図５（ｃ）は内パック２００内にコンデンサ用タブ端子１０を収納する際の工程図である。
【００３９】
先ず図４（ａ）に示すように、外パック１００の第１収納部１０４内に所定本数のコンデンサ用タブ端子１０を収納する。その際に、コンデンサ用タブ端子１０の各々を、扁平部１６側が第１収納部１０４内の傾斜面の低部側に位置するように収納する。収納されたコンデンサ用タブ端子１０が所定方向を向いて収納されていることにより、コンデンサ用タブ端子１０の取り出し作業をスムーズに行うことができる。このように第１収納部１０４の内底面に沿って所定本数のコンデンサ用タブ端子１０を収納すると、コンデンサ用タブ端子１０が扁平部１６側の丸棒部１４がリード線１２よりも太いことから、第１収納部１０４の内底面に形成される第１積層体１０６の扁平部１６側がリード線１２側よりも次第に厚くなり、上面に位置するコンデンサ用タブ端子１０の一端部と扁平部１６とが同一高さとなる、上面が平坦面の第１積層体１０６が形成される。
【００４０】
このように上面が平坦面の第１積層体１０６が形成された外パック１００の第１収納部１０４内には、図４（ｂ）に示すように内パック２００の第２収納部２０４が挿入される。この第２収納部２０４の挿入の際に、第２収納部２０４の外側面に形成された縦リブ２０６により第１収納部１０４内への第２収納部２０４の挿入をスムーズに行うことができる。第１収納部１０４内に挿入された第２収納部２０４の外底面の平坦面は、図４（ｃ）に示すように第１収納部１０４内に形成された第１積層体１０６の上面の平坦面の全面に当接しつつ、第２収納部２０４の鍔部２０２のコ字状部は、第１収納部１０４の鍔部１０２に挿入される。このように第２収納部２０４の外底面に上面の全面が当接した第１収納部１０４内の第１積層体１０６を形成するコンデンサ用タブ端子１０の各々は、第１収納部１０４内に気密状態で収納されつつ、第２収納部２０４の外底面により拘束される。
【００４１】
図４（ｃ）に示すように第１収納部１０４内に挿入された第２収納部２０４内には、更に図５（ａ）に示すように所定本数のコンデンサ用タブ端子１０を収納する。その際に、コンデンサ用タブ端子１０の各々は、扁平部１６側が所定方向を向くように収納される。このため、第２収納部２０４の平坦な内底面上に所定本数のコンデンサ用タブ端子１０を載置して形成された第２積層体２０６の上面は傾斜面となっている。このような第２積層体２０６が内部に形成された第２収納部２０４には、図５（ｂ）に示すように蓋パック３００の突出部３０４が挿入され、図５（ｃ）に示すように突出部３０４の外底面の傾斜面が第２積層体２０６の上面の傾斜面の全面と当接しつつ、突出部３０４の鍔部３０２のコ字状部が第２収納部１０４の鍔部２０２に挿入される。このように突出部３０４の外底面に上面の全面が当接した第２収納部１０４内の第２積層体２０６を形成するコンデンサ用タブ端子１０の各々は気密状態で収納されつつ、突出部３０４の傾斜面により拘束されている。また、突出部３０４は中空体であることから、強度が向上されており、突出部３０４の傾斜面と第２積層体２０６の傾斜面とが当接しても、突出部３０４は歪むことがなく、第２積層体２０６を形成するコンデンサ用タブ端子１０を確実に拘束できる。
【００４２】
図５（ｃ）に示す収納容器は、第１収納部１０４内に収納された第１積層体１０６及び第２収納部２０４内に収納された第２積層体２０６の各々を形成するコンデンサ用タブ端子１０は、気密状態で収納されつつ、第２収納部２０４の外底面や突出部３０４の傾斜面により拘束されている。このためコンデンサ用タブ端子１０を輸出等の長距離搬送に供しても、微細粒子の進入等を防止しつつ、搬送中の振動等によりコンデンサ用タブ端子１０が動いて相互に絡み合うことを防止して、収納した当初の状態を保持できる。従って、収納容器からコンデンサ用タブ端子１０を取り出すとき、コンデンサ用タブ端子１０を一本一本簡単に取り出すことができ、取出しの自動化に資することができる。
また、所定本数のコンデンサ用タブ端子１０を第１収納部１０４と第２収納部２０４とに収納できるので、第１収納部１０４のみに収納した場合よりもコンデンサ用タブ端子１０の収納本数を増加できる。
【００４３】
［実施態様２］
図１〜図５に示す実施態様１では、蓋パック３００の突出部３０４が中空体であったが、図６に示すように蓋パック３００の突出部３０４を、所定本数のコンデンサ用タブ端子１０を収納できる第３収納部３０８としたコンデンサ用タブ端子の収納容器２２であってもよい。このコンデンサ用タブ端子の収納容器２２を構成する外パック１００及び内パック２００は、図１〜図５に示すコンデンサ用タブ端子の収納容器２０のものと同一であり、詳細な説明を省略する。図６に示す第３収納部３０８は、その開口縁に沿って鍔部３０４が形成されおり、その内底面が傾斜面に形成されている。このような第３収納部３０８には、図６に示すように蓋体４００に形成された外底面が平坦面の凹部４０４が挿入されてコンデンサ用タブ端子の収納容器２２が構成される。
【００４４】
図６に示すコンデンサ用タブ端子の収納容器２２内に所定本数のコンデンサ用タブ端子１０を収納した状態を図７に示す。コンデンサ用タブ端子の収納容器２２を構成する外パック１００の第１収納部１０４及び内パック２００の第２収納部２０４の各々に所定本数のコンデンサ用タブ端子１０を、収納した状態で、第３収納部３０８内に、図７に示すように、コンデンサ用タブ端子１０の各々を、扁平部１６側が第３収納部３０４内の傾斜面の低部側に位置するように収納して、図７に示す第３積層体３０６を形成する。第３積層体３０６は、その上面に位置するコンデンサ用タブ端子１０の扁平部１６とが同一高さとなり、上面が平坦面となる。
【００４５】
このような第３積層体３０６が形成された第３収納部３０８には、図７に示すように蓋体４００に形成された底面が平坦面の凹部４０４が挿入され、第３積層体３０６の上面と凹部４０４の外底面とが当接する。このように蓋体４００の凹部４０４の外底面と上面の全面が当接する第３積層体３０６を形成するコンデンサ用タブ端子１０の各々は、気密状態で収納されつつ、凹部４０４の外底面に拘束される。
【００４６】
このような図６に示すコンデンサ用タブ端子の収納容器２２によれば、第１収納部１０４、第２収納部２０４及び第３収納部３０８に所定本数のコンデンサ用タブ端子１０を収納できるので、図３に示すコンデンサ用タブ端子の収納容器２０よりも収納できるコンデンサ用タブ端子１０を増加できる。また、図６に示すコンデンサ用タブ端子の収納容器２２では、第１収納部１０４の第１積層体１０６、第２収納部２０４の第２積層体２０６及び第３積層体３０６の各々を形成するコンデンサ用タブ端子１０を気密状態で収納されつつ、拘束されているから、輸出等の長距離の搬送に供しても、微細粒子の進入等を防止しつつ、搬送中の振動等によりコンデンサ用タブ端子１０が動いて相互に絡み合うことを防止して、収納した当初の状態を保持できる。
尚、図６に示すコンデンサ用タブ端子の収納容器２２は、図３に示すコンデンサ用タブ端子の収納容器２０よりも収納できるコンデンサ用タブ端子１０の本数が増加することから、第１収納部１０４、第２収納部２０４及び第３収納部３０８の強度を向上すべく、各収納部の壁厚等を厚くすることが好ましい。
【産業上の利用可能性】
【００４７】
本考案のコンデンサ用タブ端子の収納容器は、輸出等の長距離の搬送用として好適に用いることができる。
【符号の説明】
【００４８】
１０・・・コンデンサ用タブ端子、１２・・・リード線、１４・・・丸棒部、１６・・・扁平部、２０，２２，９２０・・・コンデンサ用タブ端子の収納容器、１００・・・外パック、１０２，２０２，３０２，４０２・・・鍔部、１０４・・・第１収納部、１０６・・・第１積層体、２００・・・内パック、２０４・・・第２収納部、２０６・・・縦リブ、２０６・・・第２積層体、３００・・・蓋パック、３０４・・・突出部、３０６・・・第３積層体、３０８・・・第３収納部、４００，９０２・・・蓋体、４０４・・・凹部、９００・・・収納部
【図１】
0003201896.tif 000003
【図２】
0003201896.tif 000004
【図３】
0003201896.tif 000005
【図４】
0003201896.tif 000006
【図５】
0003201896.tif 000007
【図６】
0003201896.tif 000008
【図７】
0003201896.tif 000009
【図８】
0003201896.tif 000010
【図９】
0003201896.tif 000011